(57)【要約】      （修正有）【課題】スコアカードの紛失を防止して、スコアカードの持参者は手元が自由に解放されて打撃が行え、競技者毎の得点を容易かつ確実に記録し、競技中に咄嗟の雨、雪があってもスコアカードが濡れたり、破損することなく保持できるグラウンド・ゴルフ用のホールポストを提供する。【解決手段】金属線により形成される小径の上円部材２と大径の下円部材３との間を３本の脚材４にて支持し、該脚材の上部、一端の集合個所Ｓに環部５を設けたホール部材１と、前記環部内に下端部６ａが挿入、支持されるポール部材６と、で構成される。スコアカード７を外装部材８を介して保持可能になす受部Ｕを有する保持手段９をポール部材に固着手段１０により固着している。【選択図】図１
0003156590.tif 000002
【実用新案登録請求の範囲】
【請求項１】
金属線で構成される小径の上円部材および大径の下円部材をそれぞれ上下に配設するとともに、前記上円部材の下面から該上円部材の側面にわたって前記上円部材と前記下円部材との間に円周方向に等間隔に配された側面略く字状の３本の脚材にて前記下円部材の上方に前記上円部材を支持し、前記脚材の上部、一端が集合する集合個所に環部が設けられたホール部材と、木製または合成樹脂製のポール部材と、により構成され、前記ポール部材の下端が、前記ホール部材の前記環部内に挿入されて固定されるグラウンド・ゴルフ用のホールポストであって、
スコアカードを外装部材を介して保持可能になす保持手段が、前記ポール部材に固着手段により固着されている
ことを特徴とするグラウンド・ゴルフ用のホールポスト。
【請求項２】
前記保持手段が、
金属線または合成樹脂線よりなる剛性材で形成され、
側面視略Ｕ字状に設けられた受部を有する保持部と、
正面視が該保持部の後部略中程から対向して略山形に設けられる背辺部と、
前記固着手段に嵌入可能に前記背辺部から上方に平行して設けられた取付部と、により構成されている
ことを特徴とする請求項１に記載のグラウンド・ゴルフ用のホールポスト。
【請求項３】
前記保持手段が、
金属板または合成樹脂板にて形成され、
側面視略Ｕ字状に設けられた受部を有する保持部と、
該保持部に連設され、前記固着手段に取付けられる取付部と、により構成されている
ことを特徴とする請求項１に記載のグラウンド・ゴルフ用のホールポスト。
【請求項４】
前記固着手段が、
前記ポール部材を挟持可能に上下対向する取付脚相互を軸材により枢着された左右対称形状の挟持部材と、
前記軸材に捲回されて両端のばね脚部を前記挟持部材に係止させて前記挟持部材を常時、閉方向にばね附勢するねじりばねと、により構成されている
ことを特徴とする請求項１または２に記載のグラウンド・ゴルフ用のホールポスト。
【請求項５】
前記固着手段が、前記ポール部材をその可撓性により挟持可能に金属板または合成樹脂板によりスリットを縦に有する略有端筒状の筒体部に形成されていることを特徴とする請求項１または２に記載のグラウンド・ゴルフ用のホールポスト。
【請求項６】
前記外装部材が、スコアカードを抜差により収容可能に、可撓性を有する透明または半透明の合成樹脂薄板により少なくとも、一側および上側を解放するとともに、他側および下側を閉鎖端に設けることにより携行可能に形成されていることを特徴とする請求項１−５の何れか１項に記載のグラウンド・ゴルフ用のホールポスト。
【考案の詳細な説明】
【技術分野】
【０００１】
本考案はグラウンド・ゴルフ用のホールポストに関し、詳細にはスコアカードの紛失を防止してスコアカードの持参者も手元が自由に解放されて打撃が行えることにより、競技者毎の得点を容易かつ確実に記録し、また、競技中に咄嗟の雨、雪があってもスコアカードが濡れたり、破損することなくポール部材に保持できる保持手段を備えたグラウンド・ゴルフ用のホールポストに関する。
【背景技術】
【０００２】
従来、種々の商品やサービスの宣伝・広告を省スペースで行うためのポップ用ジョイントとして、例えばゴルフクラブのシャフトを挿入可能に可撓性を有し軸方向に平行な切欠を有するほぼ筒状の把持部と、棒状部分を有し、商品やサービスの説明板のような情報表示物を嵌入される筒状嵌合部とを備え、この筒状嵌合部が前記把持部の側面に連結されて成るものがあった（例えば特許文献１参照。）。
【０００３】
ところで、昨今、クラブでボールを打ち、ボールがホールポストに入るまでの打撃の少なさを競うスポーツとして、グラウンド・ゴルフがゴルフに比べて規格化された大規模なコースやグリーン等の設備を必要としないとともに、また、技術面、ルール面から簡易であることと、運動量も少なく、高齢者や女子にも容易に行えることから、普及、発展されて来ている。
【０００４】
また、グラウンド・ゴルフ用のホールポストは、社団法人日本グラウンド・ゴルフ協会の認定の用具標準規則によれば、金属線で構成される小径の上円部材および大径の下円部材をそれぞれ上下に配設するとともに、前記上円部材の下面から該上円部材の側面にわたって前記上円部材と前記下円部材との間に円周方向に等間隔に配した側面略く字状の３本の脚材にて前記下円部材の上方に前記上円部材を支持したホール部材と、前記脚材の上部、一端の集合個所に有する環部内に、その下端部が挿入、支持される木製または合成樹脂製のポール部材と、により構成される。そして、競技は、例えば最大６名以内を１グループとして競技者が順番にクラブでスタートマット上に置かれたボールを打ち、ホールポスト内に入れるまでの打撃数の少ない毎に高得点が、得られ、８ゲームの合計点により、順位を競うものである。そして、スコアカードには、例えば大会名記入欄、コース記入欄、スタートホール記入欄、大会年月日記入欄、競技者の氏名記入欄、打撃順位記入欄、ホールポストＮｏ記入欄、打数記入欄、打数の累計記入欄、実打数記入欄、１打回数記入欄、合計得点記入欄、確認サイン記入欄等が設けられている。このスコアカードは、そのゲームの事前に、協議により決定された者が各コースに持参し、保管を行うことになっている。
【先行技術文献】
【特許文献】
【０００５】
【特許文献１】特開平１０−１８７０４０号公報
【考案の概要】
【考案が解決しようとする課題】
【０００６】
しかしながら、特許文献１に記載の上記従来のポップ用ジョイントは、商品やサービスの説明板は、商品製造者または商品販売者等のような特定人から一般購買者に向けて商品やサービスの情報表示物を表示するために、可撓性を有し軸方向に平行な切欠を有するほぼ筒状の把持部内にゴルフクラブのシャフトを挿入して表示を行うことにより、意外性を狙って商品やサービスの購買意欲を喚起し、商品やサービスの宣伝、広告を行おうとするものである。
【０００７】
従って、特許文献１に記載の上記従来のポップ用ジョイントは、グラウンド・ゴルフのように、例えば一定のルールにもとづき、競技者個人が順番にクラブによりボールを打って、ホールポスト内に入れるまでの打撃数の少ない毎に高得点を得、各ゲーム毎の得点の累計により競技者個人の順位を競うために、各所定事項を記録し、確認後に各コースに順に携行し、保管を行うようにして、競技者が競技をスポーツとして楽しむスコアカードとは用途、使用目的、機能が大きく異なる。
【０００８】
このスコアカードは、そのゲームの事前に決められた者が、各コースに持参し、保管を行うことになっているが、紛失し易く、また、携行中に汚れを生じて記録が不鮮明になったり、破損し易いとともに、スコアカードの持参者は、競技中に打席に立つ場合には、手が塞がっている状態では、自由が効かず、不便であった。しかも、競技中に咄嗟の雨、雪があると、スコアカードが濡れたり、破損することがあった。このような事態になると、ゲームそのものが、失格になる等の不測の事態を招来することになる。
【０００９】
そこで、本考案は上記問題点に鑑み、スコアカードの紛失を防止して、スコアカードの持参者は手元が自由に解放されて打撃が行え、競技者毎の得点を容易かつ確実に記録し、また、競技中に咄嗟の雨、雪があってもスコアカードが濡れたり、破損することなく保持できる保持手段をポール部材に備えたグラウンド・ゴルフ用のホールポストを提供することを目的とする。
【課題を解決するための手段】
【００１０】
本考案の請求項１に記載の考案は、金属線で構成される小径の上円部材および大径の下円部材をそれぞれ上下に配設するとともに、前記上円部材の下面から該上円部材の側面にわたって前記上円部材と前記下円部材との間に円周方向に等間隔に配された側面略く字状の３本の脚材にて前記下円部材の上方に前記上円部材を支持し、前記脚材の上部、一端が集合する集合個所に環部が設けられたホール部材と、木製または合成樹脂製のポール部材と、により構成され、前記ポール部材の下端が、前記ホール部材の前記環部内に挿入されて固定されるグラウンド・ゴルフ用のホールポストであって、
スコアカードを外装部材を介して保持可能になす保持手段が、前記ポール部材に固着手段により固着されている
ことを特徴とする。
【００１１】
また、本考案の請求項２に記載の考案は、請求項１において、前記保持手段が、
金属線または合成樹脂線よりなる剛性材で形成され、
側面視略Ｕ字状に設けられた受部を有する保持部と、
正面視が該保持部の後部略中程から対向して略山形に設けられる背辺部と、
前記固着手段に嵌入可能に前記背辺部から上方に平行して設けられた取付部と、により構成されている
ことを特徴とする。
【００１２】
また、本考案の請求項３に記載の考案は、請求項１において、前記保持手段が、
金属板または合成樹脂板にて形成され、
側面視略Ｕ字状に設けられた受部を有する保持部と、
該保持部に連設され、前記固着手段に取付けられる取付部と、により構成されている
ことを特徴とする。
【００１３】
また、本考案の請求項４に記載の考案は、請求項１または２において、前記固着手段が、前記ポール部材を挟持可能に上下対向する取付脚相互を軸材により枢着された左右対称形状の挟持部材と、前記軸材に捲回されて両端のばね脚部を前記挟持部材に係止させて前記挟持部材を常時、閉方向にばね附勢するねじりばねと、により構成されていることを特徴とする。
【００１４】
また、本考案の請求項５に記載の考案は、請求項１または２において、前記固着手段が、前記ポール部材をその可撓性により挟持可能に金属板または合成樹脂板によりスリットを縦に有する略有端筒状の筒体部に形成されていることを特徴とする。
【００１５】
また、本考案の請求項６に記載の考案は、請求項１−５の何れか１項において、前記外装部材が、スコアカードを抜差により収容可能に、可撓性を有する透明または半透明の合成樹脂薄板により少なくとも、一側および上側を解放するとともに、他側および下側を閉鎖端に設けることにより携行可能に形成されていることを特徴とする。
【考案の効果】
【００１６】
本考案の請求項１に記載の考案によれば、金属線で構成される小径の上円部材および大径の下円部材をそれぞれ上下に配設するとともに、前記上円部材の下面から該上円部材の側面にわたって前記上円部材と前記下円部材との間に円周方向に等間隔に配された側面略く字状の３本の脚材にて前記下円部材の上方に前記上円部材を支持し、前記脚材の上部、一端が集合する集合個所に環部が設けられたホール部材と、木製または合成樹脂製のポール部材と、により構成され、前記ポール部材の下端が、前記ホール部材の前記環部内に挿入されて固定されるグラウンド・ゴルフ用のホールポストであって、スコアカードを外装部材を介して保持可能になす保持手段が、前記ポール部材に固着手段により固着されているので、スコアカードは外装部材を介してポール部材に固着手段により固着された保持手段に保持される。従って、競技中には競技者全員の目に触れ、所在が一定場所に備え付けられた保持手段により保持されて明らかであるので、紛失が防止され、各ゲームの終了毎にスコアカードの持参者は手元が自由に解放されて打撃が行えるとともに、競技者毎の得点を容易かつ確実に記録でき、便利である。また、スコアカードは、外装部材を介して保護されるので、携行中に汚れを生じないため、記録が不鮮明になることはなく、破損が免れる。しかも、競技中に咄嗟の雨、雪があると、スコアカードは、外装部材により覆われて保護されるので、スコアカードが濡れたり、破損することがなくなる。
【００１７】
また、本考案の請求項２に記載の考案によれば、請求項１において、前記保持手段が、金属線または合成樹脂線よりなる剛性材で形成され、側面視略Ｕ字状に設けられた受部を有する保持部と、正面視が該保持部の後部略中程から対向して略山形に設けられる背辺部と、前記固着手段に嵌入可能に前記背辺部から上方に平行して設けられた取付部と、により構成されているので、スコアカードはポール部材に固着手段により固着された保持手段の受部に抜差可能に保持される。従って、競技中には競技者全員の目に触れ、所在が一定場所に備え付けられた保持手段に保持されて明らかであるので、紛失が防止され、各ゲームの終了毎にスコアカードの持参者は、手元が自由に解放されて打撃が行えるとともに、競技者毎の得点を即座にかつ確実に記録できる。また、保持手段自体、構造簡単であるので、安価に製作、組付けが行える。
【００１８】
また、本考案の請求項３に記載の考案によれば、請求項１において、前記保持手段が、金属板または合成樹脂板にて形成され、側面視略Ｕ字状に設けられた受部を有する保持部と、該保持部に連設され、前記固着手段に取付けられる取付部と、により構成されているので、スコアカードはポール部材に固着手段により取付けられた保持手段の受部に抜差可能に保持される。従って、競技中には競技者全員の目に触れ、所在が一定場所に保持されて明らかであるので、紛失が防止され、各ゲームの終了毎にスコアカードの持参者は手元が自由に解放されて打撃が行えとともに、競技者毎の得点を容易かつ確実に記録できる。また、保持手段自体、構造簡単であるので、安価に製作、組付けが行える。
【００１９】
また、本考案の請求項４に記載の考案によれば、請求項１または２において、前記固着手段が、前記ポール部材を挟持可能に上下対向する取付脚相互を軸材により枢着された左右の挟持部材と、前記軸材に捲回されて両端のばね脚部を前記挟持部材に係止させて前記挟持部材を常時、閉方向にばね附勢するねじりばねと、により構成されているので、ねじりばねの附勢力に抗して左右対称形状の挟持部材を開閉させるという簡単な取扱い操作によりポール部材に固着手段により保持手段を確実に取付け、または取外すことができる。そして、前記保持部材の受部にスコアカードを抜差可能に保持することができるので、スコアカードは競技中には競技者全員の目に触れ、所在が一定場所に保持されていることが明らかになり、紛失が防止され、各ゲームの終了毎にスコアカードの持参者は、手元が自由に解放されて打撃が行えるとともに、競技者毎の得点を容易かつ確実に記録できる。また、固着手段自体、構造簡単であるので、安価に製作、組付けが行える。
【００２０】
また、本考案の請求項５に記載の考案によれば、請求項１または２において、前記固着手段が、前記ポール部材をその可撓性により挟持可能に金属板または合成樹脂板によりスリットを縦に有する略有端筒状の筒体部に形成されているので、略有端筒状の筒体部内に
ポール部材を嵌入するという簡単な取扱い操作により固着手段により保持手段を確実に固着、または取外すことができる。そして、前記保持部材にスコアカードを保持することができるので、スコアカードは競技中には競技者全員の目に触れ、所在が一定場所に保持されて明らかになり、紛失が防止され、各ゲームの終了毎にスコアカードの持参者は手元が自由に解放されて打撃が行えるとともに、競技者毎の得点を容易かつ確実に記録できる。また、固着手段自体、構造簡単であるので、安価に製作、組付けが行える。
【００２１】
また、本考案の請求項６に記載の考案によれば、請求項１−５の何れか１項において、前記外装部材が、スコアカードを抜差により収容可能に、可撓性を有する透明または半透明の合成樹脂薄板により少なくとも、一側および上側を解放するとともに、他側および下側を閉鎖端に設けることにより携行可能に形成されているので、スコアカードは外装部材を介してポール部材に固着手段により取付けられた保持手段の受部に保持される。従って、競技中には競技者全員の目に触れ、所在が一定場所に保持されて明らかであるので、紛失が防止され、各ゲームの終了毎にスコアカードの持参者は手元が自由に解放されて打撃が行えるとともに、競技者毎の得点を容易かつ確実に記録できる。また、スコアカードは、外装部材を介して保護されるので、携行中に汚れを生じないため、記録が不鮮明になることはなく、破損が免れる。しかも、競技中に咄嗟の雨、雪があると、スコアカードは、外装部材を介して保護されるので、スコアカードが濡れたり、破損することがなくなる。また、外装部材が、可撓性を有する透明または半透明の合成樹脂薄板により形成されるので、外装部材を通じて外部から外装部材内に収容されているスコアカードに表示された内容を透視することにより確認が容易に行える。
【図面の簡単な説明】
【００２２】
【図１】図１は本考案のグラウンド・ゴルフ用のホールポストの実施形態１を示す斜視図である。
【図２】図２は同じく使用状態を示す拡大斜視図である。
【図３】図３は同じく本実施形態１で使用されるスコアカードの一例を示す拡大正面図である。
【図４】図４は同じく本実施形態１で使用される外装部材の一例を示す拡大斜視図である。
【図５】図５は本考案のグラウンド・ゴルフ用のホールポストの実施形態２を示す斜視図である。
【考案を実施するための形態】
【００２３】
以下図面に従い、本考案を実施するための最良の形態につき詳細を説明する。
【００２４】
＜実施形態１＞
図1乃至図４において、本実施形態１は、金属線で構成される小径の上円部材２および大径の下円部材３をそれぞれ上下に配設するとともに、前記上円部材２の下面から該上円部材２の側面にわたって前記上円部材２と前記下円部材３との間に円周方向に等間隔に配された側面略く字状の３本の脚材４にて前記下円部材３の上方に前記上円部材２を支持し、前記脚材４の上部、一端が集合する集合個所Ｓに環部５が設けられたホール部材１と、木製または合成樹脂製のポール部材６と、により構成されるグラウンド・ゴルフ用のホールポストＡである点は従来のグラウンド・ゴルフ用のホールポストと同様の構成である。そして、ホールポストＡの中心にはボールが打撃されて衝突されると、音が発生されて「トマリ」を現す金属製の鈴をつける。また、前記ポール部材６の上端には、コースフラッグＦが掲揚される。
【００２５】
すなわち、上円部材２は、直径φ１が２０ｃｍ（±６ｍｍ）であり、太さ６ｍｍ以内の金属線により形成される。また、下円部材３は、直径φ２が３６ｃｍ（±６ｍｍ）であり、太さ６ｍｍ以内の金属線により形成される。高さＨは下円部材３の地表面から上円部材２の地表に近い部分まで１１ｃｍ（±３ｍｍ）であり、太さ６ｍｍ以内の３本の前記脚材４にて前記下円部材３の上方に前記上円部材２を支持している。また、ポール部材６の高さＨ１は上円部材２から５０ｃｍ以上１５０ｃｍ以下である。
【００２６】
しかしながら、本実施形態１では、スコアカード７を外装部材８を介して保持可能になす保持手段９が、前記ポール部材６に固着手段１０により固着されている。
【００２７】
図１および図２に示すように、前記保持手段９が、金属線または合成樹脂よりなる剛性材にて形成され、側面視略Ｕ字状に設けられた受部Ｕを有する保持部１１Ａと、正面視が該保持部１１Ａの後部略中程から対向して略山形に設けられる背辺部１１Ｂと、前記固着手段１０に嵌入可能に前記背辺部１１Ｂから上方に平行して設けられた２本の取付部１１Ｃ,１１Ｃと、により構成されている。また、前記保持部１１Ａは正面視略コ字状に形成される。そして、２本の前記取付部１１Ｃ,１１Ｃを前記固着手段１０に取付けるのには、図示する本実施形態１では、固着手段１０の下方の取付脚１３ａ,１３ｂに設けた取付孔ｎ,ｎ内に取付部１１Ｃ,１１Ｃを嵌入することにより行われるが、これは例示であり、図には示さないが、溶接により取付部１１Ｃ,１１Ｃを上下の後記取付脚１３ａ,１３ｂ；１３ａ,１３ｂに取付けてもよい。前記合成樹脂線の材質は制限されない。
【００２８】
また、図１および図２に示すように、前記固着手段１０が、前記ポール部材６を挟持可能に上下対向する取付脚１３ａ,１３ａ；１３ｂ,１３ｂ相互を軸材１２により枢着された左右の挟持部材１３Ａ,１３Ｂと、前記軸材１２に捲回されて両端のばね脚部１４ａ,１４ｂを前記挟持部材１３Ａ,１３Ｂに係止させて前記挟持部材１３Ａ,１３Ｂを常時、閉方向イにばね附勢するねじりばね１４とにより構成されているクリップ形式のものが採用される。
【００２９】
図３および図４において前記外装部材８が、スコアカード７を抜差して収容可能に、可撓性を有する透明または半透明の合成樹脂薄板により少なくとも、一側８ａおよび上側８ｂを解放するとともに、他側８ｃおよび下側８ｄを閉鎖端に設けることにより前記外装部材８内に収容されたスコアカード７は携行可能に形成されている。この際、使用される合成樹脂は、撥水性を有し、雨や雪により外装部材８内に収納したスコアカード７が濡れないようにするものであれば、特に制限されない。また、外装部材８は略ブック状をなすが、これは代表的な例示であり、図には示さないが略袋状に形成されてもよい。
【００３０】
本実施形態１のグラウンド・ゴルフ用のホールポストＡは以上のように、金属線により形成される小径の上円部材２および大径の下円部材３を上下に配設するとともに、前記上円部材２の下面から該上円部材２の側面にわたって前記上円部材２と前記下円部材３との間に円周方向に等間隔に配した側面略く字状の３本の脚材４にて前記下円部材３の上方に前記上円部材２を支持し、前記脚材４の上部、一端が集合する集合個所Ｓに設けられたホール部材１の環部５内に、その下端部６ａが挿入、支持される木製または合成樹脂製のポール部材６と、により構成されるグラウンド・ゴルフ用のホールポストＡである点は従来のグラウンド・ゴルフ用のホールポストと同様の構成であり、競技会場にスタートマット（図には示さず）から各コース毎に一定個所離れた個所にホールポストＡを設置し、ポール部材６の上部にコースフラッグＦを掲げてコース造りを行う点は従来と同様である。
【００３１】
しかしながら、本実施形態１では、図１および図２に示すように、金属線または合成樹脂線よりなる剛性材にて形成され、側面視略Ｕ字状の受部Ｕを有する保持部１１Ａと、正面視が該保持部１１Ａの後部略中程から対向して略山形に設けられる背辺部１１Ｂと、前記固着手段１０に嵌入可能に前記背辺部１１Ｂから上方に平行して設けられた２本の取付部１１Ｃ,１１Ｃとにより構成された保持手段９を前記ポール部材６に固着手段１０により取付けているので、スコアカード７は外装部材８内に収容された状態で保持手段９の上方および左右の側面が解放された保持部１１Ａの受部Ｕ内に保持される。そして、前述のようにホールポストＡのポール部材６という一定場所に備え付けられた保持手段９内にスコアカード７は保持されることによりスコアカード７は競技中には競技者全員の目に触れ、所在が明らかであるので、紛失が防止され、各ゲームの終了毎にスコアカード７は保持手段９から取り出され、スコアカードの持参者は手元が自由に解放されて打撃が行えるとともに、競技者毎の得点を容易かつ確実に記録できる。この際、保持手段９のポール部材６に対する取付け高さは、自由に閲覧できるものとされるが、好ましくは、競技の邪魔にならない、手の届く適当の高さである。そして、保持手段９は、１本の金属線を折曲するか、または、合成樹脂線により、保持部１１Ａ、背辺部１１Ｂ、２本の取付部１１Ｃ,１１Ｃを一体に形成できるので、構造簡単であり、安価に製作できる。
【００３２】
そして、図２乃至図４に示すように、前記外装部材８が、可撓性を有する透明または半透明の合成樹脂薄板により少なくとも、一側８ａおよび上側８ｂを解放するとともに、他側８ｃおよび下側８ｄを閉鎖端に設けることにより携行可能に形成されているので、スコアカード７は外装部材８に対して解放された一側８ａまたは上側８ｂから容易に抜差しすることができる。また、スコアカード７は、可撓性を有する透明または半透明の合成樹脂薄板により形成された外装部材８内に収容されて保護されるので、携行中に汚れがスコアカード７に付着しないため、記録が不鮮明になることはなく、スコアカード７の破損が免れる。しかも、競技中に咄嗟の雨、雪があると、スコアカード７は、撥水性を有する外装部材８を介して保護されるので、スコアカード７が雨や雪に濡れたり、破損することがなくなる。また、外装部材８が、可撓性を有する透明または半透明の合成樹脂薄板により形成されるので、外部から外装部材８内に収容されているスコアカード７に表示された内容を透視することにより確認が容易に行える。
【００３３】
また、前記固着手段１０が、前記ポール部材６を挟持可能に上下対向する取付脚１３ａ,１３ａ；１３ｂ,１３ｂ相互を軸材１２により枢着された左右対称形状の挟持部材１３Ａ,１３Ｂと、前記軸材１２に捲回されて両端のばね脚部１４ａ,１４ｂを前記挟持部材１３Ａ,１３Ｂに係止されて前記挟持部材１３Ａ,１３Ｂを常時、閉方向イにばね附勢するねじりばね１４とによりなるクリップ形式に構成されているので、ねじりばね１４の附勢力に抗して左右の挟持部材１３Ａ,１３Ｂを開閉させるという簡単な取扱い操作によりポール部材６に固着手段１０により保持手段９を確実に取付けて使用に供することができ、また、取外すことができ、便利である。
【００３４】
＜実施形態２＞
図５に示すものは本考案の実施形態２であり、この実施形態２では、前記保持手段９が、金属板または合成樹脂板にて形成され、側面視略Ｕ字状に設けられた受部Ｕを有する保持部１１′Ａと、該保持部１１′Ａに連設され、前記固着手段１０に取付けられる背部取付部１１′Ｂと、により構成されている。なお、背部取付部１１′Ｂの固着手段１０に対する取付けは接着剤を用いて接着してもよいし、熱溶着してもよいし、ねじ止めして取付けてもよい。
【００３５】
また、本実施形態２では、前記固着手段１０が、前記ポール部材６をその可撓性により挟持可能に金属板または合成樹脂板によりスリット１３′ａを縦に有する略有端筒状の筒体部１３′に形成されている。このように、スリット１３′ａを略有端筒状の筒体部１３′に縦に形成したのは、ポール部材６に対する筒体部１３′の挿入、取付けを容易にするとともに、筒体部１３′に弾性的なばね性を発揮させることによりポール部材６に対する取付けを確実にするとともに、ポール部材６に対する筒体部１３′の取付高さを容易に調整するためである。
【００３６】
そして、この実施形態２では、金属板または合成樹脂板によりスリット１３′ａを縦に有する略有端筒状の筒体部１３′に形成されてばね性を有する固着手段１０によりポール部材６に取付けられた保持手段９の受部Ｕにスコアカード７は抜差可能に保持される。従って、スコアカード７は、競技中には競技者全員の目に触れ、所在が一定場所に保持されて明らかであるので、紛失が防止され、各ゲームの終了毎にスコアカードの持参者は手元が自由に解放されて打撃が行えるとともに、競技者毎の得点を容易かつ確実に記録できる。また、保持手段９自体、構造簡単であるので、安価に製作、組付けが行える。
【００３７】
また、本実施形態２によれば、前記固着手段１０が、前記ポール部材６をその可撓性により挟持可能に金属板または合成樹脂板によりスリット１３′ａを縦に有する略有端筒状の筒体部１３′に形成されているので、略有端筒状の筒体部１３′内にポール部材６をそのばね性に抗して嵌入するという簡単な取扱い操作により固着手段１０により保持手段９を確実に取付け、または取外すことができる。この際、図示はしないが、筒体部１３′に半径方向に螺入または螺退される蝶ねじを螺装することにより、筒体部１３′のポール部材６に対する取付、および取外しを容易に行えるようにしても良い。また、固着手段自体、構造簡単であるので、安価に製作、組付けが行える。
【００３８】
なお、図１乃至図４に示す上記実施形態１では、前記固着手段１０が、前記ポール部材６を挟持可能に上下対向する取付脚１３ａ,１３ａ；１３ｂ,１３ｂ相互を軸材１２により枢着された左右の挟持部材１３Ａ,１３Ｂと、前記軸材１２に捲回されて両端のばね脚部１４ａ,１４ｂを前記挟持部材１３Ａ,１３Ｂに係止させて前記挟持部材１３Ａ,１３Ｂを常時、閉方向イにばね附勢するねじりばね１４と、によりなるクリップ形式に構成されているが、固着手段１０はこれに限ることなく、例えば図５に示す実施形態２のように、固着手段１０が、ポール部材６をその可撓性により挟持可能に金属板または合成樹脂板によりスリット１３′ａを縦に有する略有端筒状の筒体部１３′に形成されても良い。反対に実施形態２では、固着手段１０が、ポール部材６をその可撓性により挟持可能に金属板または合成樹脂板によりスリット１３′ａを縦に有する略有端筒状の筒体部１３′に形成されても良いが、これに限ることなく、固着手段１０が、ポール部材６を挟持可能に上下対向する取付脚１３ａ,１３ａ；１３ｂ,１３ｂ相互を軸材１２により枢着された左右の挟持部材１３Ａ,１３Ｂと、前記軸材１２に捲回されて両端のばね脚部１４ａ,１４ｂを前記挟持部材１３Ａ,１３Ｂに係止されて前記挟持部材１３Ａ,１３Ｂを常時、閉方向イにばね附勢するねじりばね１４とによりなるクリップ形式に構成された場合にも本考案の範囲を逸脱するものではない。
【産業上の利用可能性】
【００３９】
本考案は、スコアカードの紛失を防止してスコアカードの持参者は手元が自由に解放されて打撃が行え、競技者毎の得点を容易かつ確実に記録し、また、競技中に咄嗟の雨、雪があってもスコアカードが濡れたり、破損することなくポール部材に保持できる保持手段を備えた用途・機能に適する。
【符号の説明】
【００４０】
１      ホール部材
２      上円部材
３      下円部材
４      脚材
５      環部
６      ポール部材
７      スコアカード
８      外装部材
９      保持手段
１０    固着手段
Ａ      ホールポスト
Ｕ      受部
【図１】
0003156590.tif 000003
【図２】
0003156590.tif 000004
【図３】
0003156590.tif 000005
【図４】
0003156590.tif 000006
【図５】
0003156590.tif 000007